(57)【特許請求の範囲】
【請求項１】
左右方向に延びるとともに互いに前後方向に間隔を隔てて配置され、左右方向に並設された複数の鍵を下方から支持する前側レールおよび後ろ側レールを備えた電子鍵盤楽器において、左右方向に延びかつ前記複数の鍵の上方に配置されたコントロールパネルを支持する電子鍵盤楽器のコントロールパネル支持構造であって、
前後方向に延び、前記前側レールと前記後ろ側レールを連結するレール連結部材と、
このレール連結部材に上方に延びるように設けられ、コントロールパネルを下方から支持するパネル支持部材と、
を備え、
前記前側レール、前記後ろ側レールおよび前記レール連結部材は、金属板で構成されており、
前記レール連結部材は、前記前側レールおよび前記後ろ側レールの板厚よりも厚い金属板で構成されていることを特徴とする電子鍵盤楽器のコントロールパネル支持構造。
【請求項２】
前記パネル支持部材は、前記レール連結部材と一体に構成されていることを特徴とする請求項１に記載の電子鍵盤楽器のコントロールパネル支持構造。
【請求項３】
前記レール連結部材は、互いに左右方向に間隔を隔てて配置された複数のレール連結部材で構成されており、
当該複数のレール連結部材の各々は、前記パネル支持部材を任意に取り付け可能に構成されていることを特徴とする請求項１または２に記載の電子鍵盤楽器のコントロールパネル支持構造。
【発明の詳細な説明】
【技術分野】
【０００１】
本発明は、電子ピアノなどの電子鍵盤楽器に適用され、コントロールパネルを支持する電子鍵盤楽器のコントロールパネル支持構造に関する。
【背景技術】
【０００２】
一般に、電子ピアノのコントロールパネルは、音色や音源などを設定するための多数の操作部が設けられるとともに、全体として左右方向に延びる横長の板状に形成されており、左右方向に並設された複数（例えば８８個）の鍵を有する鍵盤装置の後部上方に配置されている。このようなコントロールパネルの支持構造として、従来、例えば特許文献１に開示されたものが知られている。この支持構造では、コントロールパネルの左右両端部が、フックや金具を介して、電子ピアノの左右の腕木に支持されている。
【先行技術文献】
【特許文献】
【０００３】
【特許文献１】特開２００３−１５６５０号公報
【発明の概要】
【発明が解決しようとする課題】
【０００４】
上記の支持構造では、コントロールパネルが左右両端部のみで支持されているため、例えば、コントロールパネルの中央部などに、誤って外力が加えられた場合には、コントロールパネルの中央部が凹んでしまうおそれがある。もちろん、コントロールパネルの下方に、支持部材を立設し、その支持部材でコントロールパネルを下方から支持することによって、上記のような不具合を防止することが可能である。しかし、鍵盤装置の構造によっては、支持部材自体を安定して保持することができないことがある。例えば、左右方向に延びかつ鍵盤を支持する、金属板で構成された鍵盤レールを備えた鍵盤装置において、その鍵盤レールに支持部材を立設することが考えられる。このような鍵盤レールは一般に、鍵盤装置全体の軽量化の観点から、厚さが比較的薄い金属板が採用される。このため、前述したように、コントロールパネルに誤って外力が加えられたときには、支持部材を介して鍵盤レールが凹んでしまい、鍵盤装置が故障するおそれがある。
【０００５】
本発明は、以上のような課題を解決するためになされたものであり、コントロールパネルを強固にかつ安定して支持することができる電子鍵盤楽器のコントロールパネル支持構造を提供することを目的とする。
【課題を解決するための手段】
【０００６】
上記の目的を達成するために、請求項１に係る発明は、左右方向に延びるとともに互いに前後方向に間隔を隔てて配置され、左右方向に並設された複数の鍵を下方から支持する前側レールおよび後ろ側レールを備えた電子鍵盤楽器において、左右方向に延びかつ複数の鍵の上方に配置されたコントロールパネルを支持する電子鍵盤楽器のコントロールパネル支持構造であって、前後方向に延び、前側レールと後ろ側レールを連結するレール連結部材と、このレール連結部材に上方に延びるように設けられ、コントロールパネルを下方から支持するパネル支持部材と、を備え、前側レール、後ろ側レールおよびレール連結部材は、金属板で構成されており、レール連結部材は、前側レールおよび後ろ側レールの板厚よりも厚い金属板で構成されていることを特徴とする。
【０００７】
この構成によれば、いずれも左右方向に延びるとともに、複数の鍵を下方から支持する前側レールおよび後ろ側レールが、前後方向に延びるレール連結部材によって連結されており、このレール連結部材に、上方に延びるように設けられたパネル支持部材によって、コントロールパネルが下方から支持されている。レール連結部材は、左右方向に比較的長い前側レールや後ろ側レールに比べて、大幅に短いので、比較的強固な材料で構成されても、鍵盤装置全体の重量が大幅に増加することはない。したがって、レール連結部材を強固な材料で構成し、そのレール連結部材にパネル支持部材を立設することにより、鍵盤装置全体の重量をあまり増加させることなく、コントロールパネルを強固にかつ安定して支持することができる
【０００９】
また、上記の構成によれば、金属板で構成された前側レールおよび後ろ側レールの板厚よりも、金属板で構成されたレール連結部材の板厚が厚いので、レール連結部材を、前側レールや後ろ側レールよりも強固に構成することができる。したがって、上記構成によれば、前述した作用効果を、容易に実現することができる。
【００１０】
請求項２に係る発明は、請求項１に記載の電子鍵盤楽器のコントロールパネル支持構造において、パネル支持部材は、レール連結部材と一体に構成されていることを特徴とする。
【００１１】
この構成によれば、パネル支持部材がレール連結部材と一体であるので、両者が別々に構成される場合と異なり、パネル支持部材をレール連結部材に取り付ける必要がなく、電子鍵盤楽器の組立の手間を軽減することができる。
【００１２】
請求項３に係る発明は、請求項１または２に記載の電子鍵盤楽器のコントロールパネル支持構造において、レール連結部材は、互いに左右方向に間隔を隔てて配置された複数のレール連結部材で構成されており、複数のレール連結部材の各々は、パネル支持部材を任意に取り付け可能に構成されていることを特徴とする。
【００１３】
この構成によれば、互いに左右方向に間隔を隔てて配置された複数のレール連結部材の各々が、パネル支持部材を任意に取り付け可能であるので、パネル支持部材をすべてのレール連結部材に取り付けられることはもちろん、必要に応じて、パネル支持部材を任意のレール連結部材に取り付けることができる。これにより、パネル支持部材の設置の自由度を高めることができる。
【図面の簡単な説明】
【００１４】
【図１】本発明の一実施形態によるコントロールパネル支持構造を適用した電子ピアノの鍵盤装置を、一部を切り欠いた状態で示す側面図である。
【図２】（ａ）は、鍵盤シャーシを、一部を切り欠いた状態で示す平面図であり、（ｂ）は、（ａ）の一点鎖線枠Ｃ内を拡大して示す図である。
【図３】（ａ）は、リブおよびパネル支持金具を示す斜視図であり、（ｂ）は、パネル支持金具でコントロールパネルを支持した状態を示す鍵盤装置の側面図である。
【発明を実施するための形態】
【００１５】
以下、図面を参照しながら、本発明の好ましい実施形態を詳細に説明する。図１は、本発明の一実施形態によるコントロールパネル支持構造を適用した電子ピアノの鍵盤装置を、離鍵状態において示している。
【００１６】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１７】
鍵盤シャーシ３は、左右方向に延びる前レール９ａ（前側レール）、中レール９ｂ（後ろ側レール）および後レール９ｃから成る３本の支持レール９と、前後方向に延びる５本の補強用のリブ１０（レール連結部材）とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００１８】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００１９】
鍵２は、前後方向に延びるとともに矩形状の横断面を有する木製の鍵本体１５と、その前部の上面および前面に接着された合成樹脂製の鍵カバー１６で構成されている。鍵本体１５の中心よりも後ろ側には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００２０】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００２１】
ハンマー５は、前後方向に延びるアーム状のハンマー本体２２と、その左右の側面の前端部に取り付けられた錘板２３（１つのみ図示）を有する。ハンマー本体２２は合成樹脂で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２２】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２３】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びており、その先端部には、くびれ部を介して頭部２８が形成されている。この頭部２８は、離鍵状態において、ハンマー５の係合突起２７に対向している。
【００２４】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、前端部および中央部がスイッチ取付部２０にねじ止めされている。また、スイッチ本体３０は、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２５】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２６】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２７】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００２８】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００２９】
次に、本発明に係るコントロールパネル支持構造について、詳細に説明する。図２（ａ）は鍵盤シャーシ３の一部を示し、図３（ａ）はリブ１０を示している。鍵盤シャーシ３の前レール９ａには、フロントピン１４に対応して、多数の孔４０が形成されており、それらの孔４０を貫通した状態で、フロントピン１４が上方に延びている。また、図２（ｂ）に示すように、前レール９ａには、各リブ１０に対応して、ねじ止め用の前後２つの孔４１、４１が形成され、各孔４１の直ぐ右側に、位置決め用の孔４２も形成されている。同様に、中レール９ｂには、各リブ１０に対応して、ねじ止め用の前後２つの孔が形成され、前側の孔の直ぐ右側に、位置決め用の孔が形成されている。なお、後レール９ｃにも、各リブ１０に対応して、ねじ止め用の前後２つの孔が形成されている。
【００３０】
図３（ａ）に示すように、リブ１０は、前後方向に所定長さ延びるとともにＬ字状の横断面を有しており、前レール９ａ、中レール９ｂおよび後レール９ｃにそれぞれ対応する所定部分の上端部が、右方に直角に折曲げ加工されている。前レール９ａに対応する前後２つの折曲げ部４３、４３の各々には、前レール９ａのねじ止め用の孔４１に対応する位置にねじ孔４３ａが形成されるとともに、前レール９ａの位置決め用の孔４２に対応する位置に、ハーフパンチによって、上方に若干突出する凸部４３ｂが形成されている。同様に、中レール９ｂに対応する前後２つの折曲げ部４４および４５には、中レール９ｂのねじ止め用の孔に対応する位置にねじ孔４４ａおよび４５ａがそれぞれ形成され、前側の折曲げ部４４には、中レール９ｂの位置決め用の孔に対応する位置に、凸部４４ｂが形成されている。なお、後レール９ｃに対応する折曲げ部４６にも、後レール９ｃの前後２つのねじ止め用の孔に対応する位置にそれぞれ、前後２つのねじ孔４６ａ、４６ａが形成されている。
【００３１】
以上のように構成された前レール９ａ、中レール９ｂおよび後レール９ｃを、リブ１０によって連結するように、鍵盤シャーシ３を組み立てる場合、特に、前レール９ａおよび中レール９ｂについては、リブ１０側の各凸部４３ｂ、４４ｂを、前レール９ａおよび中レール９ｂ側の位置決め用の孔４２に挿入するとともに、リブ１０側の各ねじ孔４３ａ、４４ａを、前レール９ａおよび中レール９ｂのねじ止め用の孔４１に合致させた状態でねじ止めする。このようにして、鍵盤シャーシ３を組み立てることにより、ねじ止めの際などに、リブ１０が前レール９ａや中レール９ｂなどに対して回ることがなく、それらの支持レール９とリブ１０を、効率よく容易に連結することができる。また、リブ１０側の凸部４３ｂ、４４ｂと、支持レール９側の位置決め用の孔４２との係合により、前レール９ａと中レール９ｂの位置決めを容易に行うことができ、それにより、鍵盤シャーシ３を高い精度で組み立てることができる。
【００３２】
また、リブ１０の中レール９ｂに対応する前側の折曲げ部４４は、他の折曲げ部４３、４５および４６に比べて、前後方向の寸法が長くなっており、前記ねじ孔４４ａの前方にもねじ孔４４ｃが形成されている。このねじ孔４４ｃは、電子ピアノにおけるコントロールパネル４７（図３（ｂ）参照）を支持するパネル支持金具４８（パネル支持部材）を、リブ１０に取り付けるためものである。
【００３３】
コントロールパネル４７は、音色や音源などを設定するための多数の操作部（図示せず）が設けられており、全体として左右方向に延びる横長の板状に形成されている。また、コントロールパネル４７は、左右両端部が電子ピアノの左右の腕木（図示せず）などに支持されるとともに、左右方向の中央部などが、コントロールパネル４７の裏面に固定された連結金具４７ａを介して、パネル支持金具４８にねじ止めされる。
【００３４】
パネル支持金具４８は、細長い所定形状の金属板の両端部を、互いに反対方向に直角に折曲げ加工されたものである。図３（ａ）に示すように、パネル支持金具４８には、下端部にねじ止め用の孔４８ａが形成され、上端部にねじ孔４８ｂが形成されている。このように構成されたパネル支持金具４８は、下端部の孔４８ａを、リブ１０の中レール９ｂに対応する折曲げ部４４の前側のねじ孔４４ｃに合致させた状態で、ねじ４９によって、リブ１０に固定されている。また、パネル支持金具４８とコントロールパネル４７を連結する場合には、コントロールパネル４７側の連結金具４７ａの取付孔（図示せず）を、パネル支持金具４８の上端部のねじ孔４８ｂに合致させた状態で、連結金具４７ａとパネル支持金具４８をねじ止めする。
【００３５】
以上詳述したように、本実施形態によれば、前レール９ａ、中レール９ｂおよび後レール９ｃを連結するリブ１０に、パネル支持金具４８が取り付けられ、このパネル支持金具４８によって、コントロールパネル４７が下方から支持される。リブ１０は、左右方向に比較的長い前レール９ａや中レール９ｂなどに比べて、大幅に短く、しかもそれらよりも厚い鉄板で構成されており、このようなリブ１０に取り付けられたパネル支持金具４８を介して、コントロールパネル４７が支持されるので、鍵盤装置１全体の重量をあまり増加させることなく、コントロールパネル４７を強固にかつ安定して支持することができる。また、パネル支持金具４８は、リブ１０にねじ４９によって取り付けられるので、５本のすべてのリブ１０に取り付けられることはもちろん、必要に応じて、任意のリブ１０に取り付けることも可能であり、パネル支持金具４８の設置の自由度を高めることができる。
【００３６】
なお、本発明は、説明した上記実施形態に限定されることなく、種々の態様で実施することができる。例えば、パネル支持金具４８に対応する部分を、リブ１０に一体に構成してもよい。この場合には、パネル支持金具４８とリブ１０が別々に構成される場合と異なり、パネル支持金具４８をリブ１０に取り付ける必要がなく、電子ピアノの組立の手間を軽減することができる。
【００３７】
また、実施形態で示した支持レール９、リブ１０およびパネル支持金具４８の細部の構成などは、あくまで例示であり、本発明の趣旨の範囲内で適宜、変更することができる。
【符号の説明】
【００３８】
１    鍵盤装置
２    鍵
３    鍵盤シャーシ
９    支持レール
９ａ  前レール（前側レール）
９ｂ  中レール（後ろ側レール）
１０    リブ（レール連結部材）
４７    コントロールパネル
４８    パネル支持金具（パネル支持部材）
【図１】
0005829874.tif 000002
【図２】
0005829874.tif 000003
【図３】
0005829874.tif 000004